(57)【要約】【課題】トンボなどの基準画像のプロファイルの選択を容易にし、間違えを防止する。【解決手段】ジョブに基づいて画像を形成する画像形成部と、画像形成部を制御する制御部と、を備え、制御部は、トンボなどの基準画像について、仕上がり寸法（横方向、および縦方向）や原稿印字開始位置（横方向、および縦方向）などを含む複数のプロファイルを取得して、ジョブ実行時にプロファイルのうちの１つを適用して、プロファイルに対応する基準画像を前記画像に付加して画像形成する。【選択図】図１１
2020184715.tif 000002
【特許請求の範囲】
【請求項１】
ジョブに基づいて画像を形成する画像形成部と、
前記画像形成部を制御する制御部と、を備え、
前記制御部は、基準画像の複数のプロファイルを取得して、ジョブ実行時に前記プロファイルのうちの１つを適用して、前記プロファイルに対応する基準画像を前記画像に付加して画像形成することを特徴とする画像形成装置。
【請求項２】
前記プロファイルを記憶する記憶部を有する請求項１記載の画像形成装置。
【請求項３】
前記基準画像がトンボである請求項１または２に記載の画像形成装置。
【請求項４】
前記プロファイルが、仕上がり寸法（横方向、および縦方向）と、原稿印字開始位置（横方向、および縦方向）と、を少なくとも含む設定の組み合わせからなる請求項３に記載の画像形成装置。
【請求項５】
前記トンボのプロファイルがさらに、コーナートンボに関わる、形状種別と、トンボ線色と、トンボ線長と、トンボ線幅と、面付数（横方向、および縦方向）と、断裁代（横方向、および縦方向）と、を少なくとも１つを含むことを特徴とする請求項３または４に記載の画像形成装置。
【請求項６】
前記トンボのプロファイルがさらに、少なくとも、画像形成する記録媒体のサイズと、前記仕上がり寸法（横方向、および縦方向）と、前記原稿開始位置（横方向、および縦方向）と、前記断裁代（横方向、および縦方向）とから、面付数（記録媒体長方向、および記録媒体幅方向）を算出することを可能にする設定を含むことを特徴とする請求項５記載の画像形成装置。
【請求項７】
前記トンボのプロファイルがさらに、センタートンボの有無、形状種別、線色、サイズ、印字位置の少なくとも１つを含むことを特徴とする請求項３〜６のいずれか１項に記載の画像形成装置。
【請求項８】
前記トンボのプロファイルがさらに、１つ以上の折り位置を含むことを特徴とする請求項３〜７のいずれか１項に記載の画像形成装置。
【請求項９】
前記制御部は、前記トンボプロファイルと、画像形成する記録媒体のサイズと、の選択時に、前記トンボのプロファイルに含まれる仕上がり寸法（横方向、および縦方向）と、原稿印字開始位置（横方向、および縦方向）と、形状種別と、断裁代（横方向、および縦方向）と、画像形成する記録媒体サイズ（横方向、および縦方向）と、から、前記画像形成装置が画像形成する記録媒体上に、断裁代まで含んでコーナートンボを隅部に画像形成できるかを判定し、コーナートンボが断裁代まで含んで隅部に画像形成できない場合は、エラーとすることを特徴とする請求項３〜８のいずれか１項に記載の画像形成装置。
【請求項１０】
前記制御部は、前記トンボのプロファイルに含まれる仕上がり寸法（横方向、および縦方向）と、原稿印字開始位置（横方向、および縦方向）と、形状種別と、断裁代（横方向、および縦方向）と、トンボ線長と、画像形成する記録媒体のサイズ（横方向、および縦方向）と、から、前記画像形成装置が、画像形成する記録媒体上に、コーナートンボを断裁代まで含んで隅部に画像形成できるが、トンボを構成する線の一部が記録媒体外となるかを確認し、コーナートンボを断裁代まで含んで隅部に画像形成できるが、トンボを構成する線の一部が用紙外となる場合は、トンボを構成する線のうち、記録媒体外となる部分を画像形成しないことを特徴とする請求項３〜９のいずれか１項に記載の画像形成装置。
【請求項１１】
請求項１〜１０のいずれか１項に記載の画像形成装置が、前記画像形成装置が制御する断裁装置と接続されている画像形成システム。
【請求項１２】
前記画像形成装置が、前記断裁装置のための断裁設定の組み合わせである断裁プロファイルを１つ以上保持し、さらに、前記断裁プロファイルをユーザーが作成すると、前記断裁設定の作成内容をもとに前記トンボのプロファイルを生成することを特徴とする請求項１１記載の画像形成システム。
【請求項１３】
前記画像形成装置が、前記断裁プロファイルをユーザーが作成したことに基づいて生成したトンボのプロファイルと、前記断裁プロファイルと、の相互関連を保持することを特徴とする請求項１１または１２に記載の画像形成システム。
【請求項１４】
前記画像形成装置が、前記トンボのプロファイルをユーザーが作成すると、前記トンボのプロファイルの作成内容をもとに前記断裁プロファイルを生成することを特徴とする請求項１１〜１３のいずれか１項に記載の画像形成システム。
【請求項１５】
前記画像形成装置が、前記トンボプロファイルをユーザーが作成したことに基づいて生成した断裁プロファイルと、前記トンボプロファイルと、の相互関連を保持することを特徴とする請求項１１〜１４のいずれか１項に記載の画像形成システム。
【請求項１６】
前記画像形成装置が、トンボプロファイルと、断裁プロファイルと、の相互関連を設定するユーザーインタフェースを備えることを特徴とする請求項１４または１５に記載の画像形成システム。
【請求項１７】
前記画像形成装置が、ジョブ実行にあたって、断裁プロファイルを設定された場合、前記断裁装置を使用する場合は、前記断裁プロファイルを適用して断裁を行い、前記断裁装置を使用しない場合は、前記断裁プロファイルとの相互関連を持つ前記トンボのプロファイルを適用して、トンボを画像形成することを特徴とする請求項１１〜１６のいずれか１項に記載の画像形成システム。
【請求項１８】
前記画像形成装置がジョブ実行にあたって、前記トンボプロファイルを設定された場合、前記断裁装置を使用しない場合は、前記トンボプロファイルを適用して、トンボを画像形成し、前記断裁装置を使用する場合は、前記断裁プロファイルとの相互関連を持つ前記断裁プロファイルを適用して断裁を行うことを特徴とする請求項１１〜１７のいずれか１項に記載の画像形成システム。
【請求項１９】
前記画像形成装置が、前記断裁プロファイルを適用し、前記断裁装置を使用して、断裁を行うジョブ実行中に、前記断裁装置を使用しなくなった場合に、前記断裁プロファイルと相互関連を持つトンボのプロファイルを適用し、トンボを付加して画像形成することを特徴とする請求項１１〜１８のいずれか１項に記載の画像形成システム。
【請求項２０】
前記画像形成装置が、前記断裁プロファイルと相互関連を持つトンボプロファイルを適用し、トンボを付加して画像形成することをユーザーに確認するユーザーインタフェースを備えることを特徴とする請求項１９記載の画像形成システム。
【請求項２１】
前記画像形成装置が、正解画像と、画像形成済の用紙を読み取った画像とを比較して検品する検査装置を備え、ジョブ実行中に前記裁断装置の使用を取りやめ、かわりにトンボを付加して画像形成する場合は、前記検品部に正解画像の通知を行うことを特徴とする請求項１１〜２０のいずれか１項に記載の画像形成システム。
【請求項２２】
ジョブに基づいて画像を形成する画像形成装置の制御部で実行されるプログラムであって、
前記プログラムは、前記制御部に対し、基準画像の複数のプロファイルを取得するステップと、ジョブ実行時に前記プロファイルのうちの１つを適用して、前記プロファイルに対応する基準画像を付加して画像形成するステップと、を有することを特徴とする画像形成プログラム。
【発明の詳細な説明】
【技術分野】
【０００１】
この発明は、トンボなどの基準画像のプロファイルを適用してジョブの画像に基準画像を追加して画像形成を行う画像形成装置、画像形成システムおよび画像形成プログラムに関するものである。
【背景技術】
【０００２】
ジョブの画像に、トンボなどの基準画像を付加する場合、例えば、トンボについて、ユーザーの設定操作に基づいて生成し、また用紙の後処理に関する後処理情報（パンチ処理、ステイプル処理）を設定操作に基づいて、トンボの用紙への印字を制御する。
従来、トンボはジョブ毎に設定することが必要である。トンボは、コーナートンボに限っても、仕上がり寸法（縦方向、横方向）（縦方向、横方向は搬送方向と同方向を縦方向とする。以下同じ）、原稿印字開始位置（縦方向、横方向）（原稿印字開始位置は用紙上の位置）、形状種別、断裁代（縦方向、横方向）、トンボ線色、トンボ線長（断裁代の領域からトンボの端までの長さ）、トンボ線幅、面付数（縦方向、横方向）、といったように多くの設定項目があり、その設定はユーザーが行っている（特許文献１参照）。
【先行技術文献】
【特許文献】
【０００３】
【特許文献１】特開２０１２−１９３０９号公報
【発明の概要】
【発明が解決しようとする課題】
【０００４】
上記のように、従来技術では、トンボの設定項目が多く、しかも、設定をユーザーが行っているため、設定がユーザーの手間となる。また、間違えやすく、間違えた場合に再度のジョブ実行が必要となり、ユーザーの納期や利益を圧迫する、という課題がある。
【０００５】
本発明は、上記事情を背景としてなされたものであり、複数の基準画像のプロファイルを取得可能とすることにより、設定の手間を防止するとともにユーザーの設定間違えを防止することができる画像形成装置、画像形成システムおよび画像形成プログラムを提供することを目的とする。
【課題を解決するための手段】
【０００６】
本発明の画像形成装置のうち、第１の形態は、
ジョブに基づいて画像を形成する画像形成部と、
前記画像形成部を制御する制御部と、を備え、
前記制御部は、基準画像の複数のプロファイルを取得して、ジョブ実行時に前記プロファイルのうちの１つを適用して、前記プロファイルに対応する基準画像を前記画像に付加して画像形成することを特徴とする。
【０００７】
第２の形態の画像形成装置の発明は、前記形態の発明において、前記プロファイルを記憶する記憶部を有する。
【０００８】
第３の形態の画像形成装置の発明は、前記形態の発明において、前記基準画像がトンボである。
【０００９】
第４の形態の画像形成装置の発明は、前記形態の発明において、前記プロファイルが、仕上がり寸法（横方向、および縦方向）と、原稿印字開始位置（横方向、および縦方向）と、を少なくとも含む設定の組み合わせからなる。
【００１０】
第５の形態の画像形成装置の発明は、前記形態の発明において、前記トンボのプロファイルがさらに、コーナートンボに関わる、形状種別と、トンボ線色と、トンボ線長と、トンボ線幅と、面付数（横方向、および縦方向）と、断裁代（横方向、および縦方向）と、を少なくとも１つを含むことを特徴とする。
【００１１】
第２の形態の画像形成装置の発明は、前記形態の発明において、前記トンボのプロファイルがさらに、少なくとも、画像形成する記録媒体のサイズと、前記仕上がり寸法（横方向、および縦方向）と、前記原稿開始位置（横方向、および縦方向）と、前記断裁代（横方向、および縦方向）とから、面付数（記録媒体長方向、および記録媒体幅方向）を算出することを可能にする設定を含むことを特徴とする請求項５記載の画像形成装置。
【００１２】
第３の形態の画像形成装置の発明は、前記形態の発明において、前記トンボのプロファイルがさらに、センタートンボの有無、形状種別、線色、サイズ、印字位置の少なくとも１つを含むことを特徴とする。
【００１３】
第４の形態の画像形成装置の発明は、前記形態の発明において、前記トンボのプロファイルがさらに、１つ以上の折り位置を含むことを特徴とする。
【００１４】
第５の形態の画像形成装置の発明は、前記形態の発明において、前記制御部は、前記トンボプロファイルと、画像形成する記録媒体のサイズと、の選択時に、前記トンボのプロファイルに含まれる仕上がり寸法（横方向、および縦方向）と、原稿印字開始位置（横方向、および縦方向）と、形状種別と、断裁代（横方向、および縦方向）と、画像形成する記録媒体サイズ（横方向、および縦方向）と、から、前記画像形成装置が画像形成する記録媒体上に、断裁代まで含んでコーナートンボを隅部に画像形成できるかを判定し、コーナートンボが断裁代まで含んで隅部に画像形成できない場合は、エラーとすることを特徴とする。
【００１５】
第６の形態の画像形成装置の発明は、前記形態の発明において、前記制御部は、前記トンボのプロファイルに含まれる仕上がり寸法（横方向、および縦方向）と、原稿印字開始位置（横方向、および縦方向）と、形状種別と、断裁代（横方向、および縦方向）と、トンボ線長と、画像形成する記録媒体のサイズ（横方向、および縦方向）と、から、前記画像形成装置が、画像形成する記録媒体上に、コーナートンボを断裁代まで含んで隅部に画像形成できるが、トンボを構成する線の一部が記録媒体外となるかを確認し、コーナートンボを断裁代まで含んで隅部に画像形成できるが、トンボを構成する線の一部が用紙外となる場合は、トンボを構成する線のうち、記録媒体外となる部分を画像形成しないことを特徴とする。
【００１６】
本発明の画像形成システムのうち、第１の形態は、前記各形態のいずれかに記載の画像形成装置が、前記画像形成装置が制御する断裁装置と接続されている。
【００１７】
第２の形態の画像形成システムの発明は、前記形態の発明において、前記画像形成装置が、前記断裁装置のための断裁設定の組み合わせである断裁プロファイルを１つ以上保持し、さらに、前記断裁プロファイルをユーザーが作成すると、前記断裁設定の作成内容をもとに前記トンボのプロファイルを生成することを特徴とする。
【００１８】
第３の形態の画像形成システムの発明は、前記形態の発明において、前記画像形成装置が、前記断裁プロファイルをユーザーが作成したことに基づいて生成したトンボプロファイルと、前記断裁プロファイルと、の相互関連を保持することを特徴とする。
【００１９】
第４の形態の画像形成システムの発明は、前記形態の発明において、前記画像形成装置が、前記トンボのプロファイルをユーザーが作成すると、前記トンボのプロファイルの作成内容をもとに前記断裁プロファイルを生成することを特徴とする。
【００２０】
第５の形態の画像形成システムの発明は、前記形態の発明において、前記画像形成装置が、前記トンボプロファイルをユーザーが作成したことに基づいて生成した断裁プロファイルと、前記トンボプロファイルと、の相互関連を保持することを特徴とする。
【００２１】
第６の形態の画像形成システムの発明は、前記形態の発明において、前記画像形成装置が、トンボプロファイルと、断裁プロファイルと、の相互関連を設定するユーザーインタフェースを備えることを特徴とする。
【００２２】
第７の形態の画像形成システムの発明は、前記形態の発明において、前記画像形成装置が、ジョブ実行にあたって、断裁プロファイルを設定された場合、前記断裁装置を使用する場合は、前記断裁プロファイルを適用して断裁を行い、前記断裁装置を使用しない場合は、前記断裁プロファイルとの相互関連を持つ前記トンボのプロファイルを適用して、トンボを画像形成することを特徴とする。
【００２３】
第８の形態の画像形成システムの発明は、前記形態の発明において、前記画像形成装置がジョブ実行にあたって、前記トンボプロファイルを設定された場合、前記断裁装置を使用しない場合は、前記トンボプロファイルを適用して、トンボを画像形成し、前記断裁装置を使用する場合は、前記断裁プロファイルとの相互関連を持つ前記断裁プロファイルを適用して断裁を行うことを特徴とする。
【００２４】
第９の形態の画像形成システムの発明は、前記形態の発明において、前記画像形成装置が、前記断裁プロファイルを適用し、前記断裁装置を使用して、断裁を行うジョブ実行中に、前記断裁装置を使用しなくなった場合に、前記断裁プロファイルと相互関連を持つトンボのプロファイルを適用し、トンボを付加して画像形成することを特徴とする。
【００２５】
第１０の形態の画像形成システムの発明は、前記形態の発明において、前記画像形成装置が、前記断裁プロファイルと相互関連を持つトンボプロファイルを適用し、トンボを付加して画像形成することをユーザーに確認するユーザーインタフェースを備えることを特徴とする。
【００２６】
第１１の形態の画像形成システムの発明は、前記形態の発明において、前記画像形成装置が、正解画像と、画像形成済の用紙を読み取った画像とを比較して検品する検査装置を備え、ジョブ実行中に前記裁断装置の使用を取りやめ、かわりにトンボを付加して画像形成する場合は、前記検査装置に正解画像の通知を行うことを特徴とする。
【００２７】
本発明の画像形成プログラムは、ジョブに基づいて画像を形成する画像形成装置を制御する制御部で実行されるプログラムであって、
前記プログラムは、前記制御部に、基準画像の複数のプロファイルを取得するステップと、ジョブ実行時に前記プロファイルのうちの１つを適用して、前記プロファイルに対応する基準画像を付加して画像形成を実行させるステップと、を有することを特徴とする。
【発明の効果】
【００２８】
本発明によれば、ユーザーは基準画像の設定時にプロファイルとして保持された一連の設定を呼び出すことで、基準画像の設定が可能であるため、ユーザーの手間を省き、また、間違えを防止することができる効果がある。
【図面の簡単な説明】
【００２９】
【図１】本発明の一実施形態の画像形成装置および画像形成システムの概略を示す図である。
【図２】同じく、制御ブロック図である。
【図３】ジョブの画像に基準画像としてトンボを印刷する例を説明する図である。
【図４】トンボの例を説明する図である。
【図５】トンボの設定でエラーとなる場合を説明する図である。
【図６】原稿領域＋トンボの領域が用紙に収まらない場合でも、断裁代が収まれば、断裁代を確保することができる例を説明する図である。
【図７】トンボプロファイルと、断裁プロファイルの相互の関連を保持する例を示す図である。
【図８】トンボプロファイルの設定例を示す図である。
【図９】トンボプロファイルをもとに断裁プロファイルを生成する例を説明する図である。
【図１０】断裁プロファイルをもとにトンボプロファイルを生成する例を説明する図である。
【図１１】ジョブ設定時のトンボプロファイル適用の手順を示すフローチャートである。
【図１２】ジョブ実行中の断裁からトンボ画像形成への切り替えを行う手順を示すフローチャートである。
【発明を実施するための形態】
【００３０】
以下に、本発明の一実施形態の画像形成装置および画像形成システムを添付図面に基づいて説明する。
図１は、画像形成装置を含む画像形成システムの中央断面図であり、機械的な構成を示している。以下に、その構成を説明する。
画像形成システム１は、装置本体１０と、その下流側に位置する検査装置２０と、さらにその下流側に位置する後処理装置３０と、装置本体１０の上流側に位置する給紙部４０と、を備えている。各装置は機械的、電気的に接続されており、装置間での用紙の搬送と、各装置間での情報の送受信とが可能になっている。本実施形態では、これらの装置によって画像形成システム１が構成されており、装置本体１０と給紙部４０とにより画像形成装置が構成されている。
なお、本発明としては画像形成装置および画像形成装置の構成が上記に限定されるものではなく、装置本体１０と検査装置２０とで画像形成装置が構成されるものでもよく、また、装置本体１０のみで画像形成装置を構成し、検査装置２０、後処理装置３０、給紙部４０などを備えるものを画像形成装置外とし、画像形成装置とともに画像形成システムを構成するものとしてもよい。以下、具体的に説明する。
【００３１】
装置本体１０では、筺体の上部側に操作部１４０が設置されている。操作部１４０には、タッチパネル式のＬＣＤ１４１を有しており、操作者による操作および情報の表示が可能になっている。ＬＣＤ１４１は、操作部と表示部を兼用しており、本発明の操作表示部として機能する。なお、操作部をマウスやタブレットなどで構成し、表示部とは別体で構成することも可能であり、これら構成によって操作表示部が構成される。また、ＬＣＤ１４１は移動可能となっているものであってもよい。操作部１４０は、ユーザーインターフェースとして機能する。
【００３２】
装置本体１０の下部側には、用紙を収容して給紙する複数の本体トレイを有する本体給紙部１２が配置されている。また、装置本体１０の上流側には、複数の大容量給紙トレイを有する給紙部４０を有しており、用紙を収容して装置本体１０に対し用紙を給紙する。なお、この実施形態では、用紙は、本発明の記録媒体に相当する。なお、記録媒体は、紙に限定されるものではなく、布やプラスチックなどであってもよい。
【００３３】
装置本体１０内には、本体給紙部１２または給紙部４０から給紙される用紙を搬送する搬送経路１３が設けられており、装置本体１０内の搬送路途中に、画像形成部１１が設けられている。画像形成部１１は、各色（シアン（Ｃ）、マゼンタ（Ｍ）、イエロー（Ｙ）、ブラック（Ｋ））用にそれぞれ感光体１１ａを有しており、各感光体１１ａの周囲には、図示しない、帯電器、ＬＤ、現像器を有している。さらに、感光体１１ａの画像を転写する中間転写ベルト１１ｂ、中間転写ベルト１１ｂの画像を用紙に転写する二次転写部１１ｃを有している。
二次転写部１１ｃの下流側の搬送経路１３には、定着器１１ｄが配置されている。
【００３４】
上記した感光体１１ａ、図示しない帯電器、ＬＤ、現像器、中間転写ベルト１１ｂ、二次転写部１１ｃ、定着器１１ｄなどによって画像形成部１１が構成されている。なお、画像形成部としては、単色で画像形成を行うものであってもよく、単色のみが印刷可能な画像形成部であってもよい。
また、搬送経路１３では、定着器１１ｄの下流側でストレート側から分岐した反転搬送経路１３ａを有している。反転搬送経路１３ａは、退避搬送経路１３ｂが分岐した以降の下流側では、画像形成部１１の上流側で搬送経路１３に合流している。
【００３５】
用紙を反転して画像形成部１１に環流する場合、反転搬送経路１３ａから一旦退避搬送経路１３ｂに送った後、逆走して下流側の反転搬送経路１３ａに送り、画像形成部１１の上流側で搬送経路１３に合流させて用紙の裏面側への画像形成を行う。
上記した画像形成部１１、本体給紙部１２、給紙部４０、搬送経路１３、反転搬送経路１３ａなどは図２に示すプリンタ部１５０を構成する。
装置本体１０には、制御部１００を有している。制御部１００は、画像形成システム１全体を制御するものであり、ＣＰＵやＣＰＵで実行されるプログラム、パラメータや作業領域となる記憶部などによって構成される。制御部１００におけるプログラムには本発明の画像形成プログラムが含まれる。
【００３６】
装置本体１０と後処理装置３０との間に、用紙の搬送経路に沿って検査装置２０を備えている。
検査装置２０は、上流側が装置本体１０の搬送経路１３に接続され、下流側が後処理装置３０の搬送経路３３に接続された搬送経路２３を有している。
搬送経路２３の中途の上流側には、用紙の下方側の面の画像を読み取る画像読取部２４が備えられており、読取り結果を制御部１００に送信する。画像読取部２４はラインセンサーでもよく、また、ポイントで画像を読取る測色機などであってもよい。
画像読取部２４よりも下流側の搬送経路２３には、用紙の上方側の面の画像を読取る画像読取部２５が備えられており、読取結果を制御部１００に送信する。画像読取部２５はラインセンサーでもよく、また、ポイントで画像を読み取る測色機などであってもよい。
【００３７】
後処理装置３０では、検査装置２０の搬送経路２３に連なる搬送経路３３を有している。搬送経路３３は、ストレート側では第１排紙部３１に連なっており、分岐側で後処理部３４を経て第２排紙部３２に連なっている。
搬送経路２３を搬送される用紙は、画像読取部２４、２５を通過した後、後処理装置３０の搬送経路３３に送られて、後処理を行うことなく、第１排紙部３１に排紙するか、後処理部３４で所定の後処理が行われて第２排紙部３２に排紙する。後処理部３４では複数の後処理を行うものであってもよい。
後処理部３４では所定の後処理は実行される。後処理としては、ステープル、パンチ、冊子、中綴じ、断裁処理などの適宜の処理が挙げられる。断裁処理を有する後処理部は、本発明の断裁装置に相当する。また、後処理を行わない用紙は第１排紙部３１に排紙される。後処理部３４を経た用紙は、束として第２排紙部３２に排紙される。
また、画像形成装置外に、オフラインで断裁装置を備えるものであってもよい。
【００３８】
図２に、画像形成システム１の制御ブロック図を示す。
装置本体１０は、制御ブロック１１０とスキャナ部１３０と操作部１４０とプリンタ部１５０とを有し、さらに、ネットワーク３を通して端末ＰＣなどの外部機器４から入力される画像データを処理し、またはスキャナ部１３０で得た画像データを、ネットワーク３を通して外部機器４などに転送可能にする画像処理部（プリント＆スキャナコントローラ）１６０とを備えている。
【００３９】
制御ブロック１１０には、画像処理部（プリント＆スキャナコントローラ）１６０に接続されたＰＣＩバス１１２を有しており、該ＰＣＩバス１１２にＤＲＡＭ制御ＩＣ１１１が接続されている。ＤＲＡＭ制御ＩＣ１１１には、画像メモリ（ＤＲＡＭ）１２０が接続されている。画像メモリ（ＤＲＡＭ）１２０には、圧縮画像データを格納するための圧縮メモリ１２１と、画像形成前にプリント対象の非圧縮画像データを一時的に格納するための伸長メモリ１２２とを有している。
【００４０】
また、ＤＲＡＭ制御ＩＣ１１１には、ハードディスク（ＨＤＤ）部１２３が接続されており、該ハードディスク（ＨＤＤ）部１２３には、スキャナ部１３０で取得した画像データや画像処理部（プリント＆スキャナコントローラ）１６０に接続された外部機器４などにより生成された画像データ等を保存することができる。
上記画像処理部（プリント＆スキャナコントローラ）１６０で取得される画像データやハードディスク（ＨＤＤ）部１２３に格納された画像データは、プリント動作に伴ってＰＣＩバス１１２を通してＤＲＡＭ制御ＩＣ１１１へと送信される。
【００４１】
外部機器４は、外部機器４全体を制御する外部制御部４００を有しており、操作キー４２０と操作画面４１０とを備えている。外部制御部４００は、ＣＰＵとＣＰＵ上で動作するプログラムとを有している。外部機器４は、管理装置として画像形成装置または画像形成システムを制御するものであってもよい。この場合、操作キー４２０と操作画面４１０は、操作部に相当することになる。また、この際の外部制御部４００のハードウェアは本発明の制御部として機能することができる。
【００４２】
また、制御ブロック１１０には、制御ＣＰＵ１１３を備えており、制御ＣＰＵ１１３にＤＲＡＭ制御ＩＣ１１１が接続されている。
また、制御ＣＰＵ１１３には、ＲＯＭで構成され、制御ＣＰＵ１１３を動作させるためのプログラム等が格納されたプログラムメモリ（ＲＯＭ）１１４と、ＲＡＭで構成され、ワークエリアなどとして使用されるシステムメモリ（ＲＡＭ）１１６と、フラッシュメモリなどにより構成される不揮発メモリ１１５と、が接続されている。
【００４３】
不揮発メモリ１１５には、装置本体１０の初期設定情報や、プロセス制御パラメータ等の機械設定情報、後処理設定、用紙情報データ、トレイ設定情報、断裁位置の判定エリア、トンボに関する、画像形成する記録媒体のサイズ、画像データ、仕上がり寸法（横方向、および縦方向）、原稿印字開始位置（横方向、および縦方向）、折り位置、コーナートンボに関わる、形状種別、トンボ線色、トンボ線長、トンボ線幅、面付数（横方向、および縦方向）、断裁代（横方向、および縦方向）、センタートンボに関する、有無、形状種別、線色、サイズ、印字位置などを含む複数のトンボのプロファイルが格納され、さらに、トンボのプロファイルと、断裁プロファイルとの相互関連などが格納されている。
【００４４】
制御ＣＰＵ１１３は、不揮発メモリ１１５の不揮発データを読み取り可能であり、また、所望のデータを不揮発メモリ１１５に書き込むことが可能である。
制御ＣＰＵ１１３は、プログラムメモリ（ＲＯＭ）１１４に格納されたプログラムにより所定の動作が実行され、上記機械設定情報や印刷設定情報、出力設定などに従って装置本体１０や検査装置２０、後処理装置３０の各部を動作制御する。プログラムは、本発明の制御プログラムとして機能し、移動可能な記憶部に格納されて流通するものであってもよい。
【００４５】
制御ＣＰＵ１１３は、プログラムメモリ（ＲＯＭ）１１４、システムメモリ（ＲＡＭ）１１６、不揮発メモリ１１５などとともに本発明の制御部を構成し、ジョブの実行、断裁位置の判定、ジョブ実行時に前記プロファイルのうちの１つを適用して、前記プロファイルに対応する基準画像を前記画像に付加して画像形成することができる。
制御ＣＰＵ１１３は、ジョブの出力設定や操作指示、設定などを、操作部１４０を通して行うことができる。
【００４６】
スキャナ部１３０は、光学読み取りを行うＣＣＤ１３１と、スキャナ部１３０全体の制御を行うスキャナ制御部１３２とを備えている。スキャナ制御部１３２は、制御ＣＰＵ１１３とシリアル通信可能に接続されている。また、ＣＣＤ１３１は、ＣＣＤ１３１で読み取った画像データを処理する読み取り処理部１１７に接続され、読み取り処理部１１７は、ＤＲＡＭ制御ＩＣ１１１に制御可能に接続されている。
【００４７】
読み取り処理部１１７は、ＣＣＤ１３１から入力されたアナログ画像信号に、アナログ信号処理、Ａ／Ｄ（Ａｎａｌｏｇ  ｔｏ  Ｄｉｇｉｔａｌ）変換処理、シェーディング処理等の各種処理を施し、デジタル画像データを生成して、圧縮・伸長ＩＣ１２５に出力する。
また、制御ＣＰＵ１１３には、ＡＤＦ制御部１３５が制御可能に接続されており、ＡＤＦ制御部１３５によって流し込みｔｙｐｅ自動原稿給送装置（ＡＤＦ）１４が制御される。
スキャナ部１３０では、装置本体１０の上部プラテンガラスに置かれた原稿や、流し込みｔｙｐｅ自動原稿給送装置（ＡＤＦ）１４で自動搬送される原稿の画像を読み取る。
【００４８】
操作部１４０は、表示部と操作部とを兼ね、タッチパネルを有するＬＣＤ１４１と、操作部全体を制御する操作部制御部１４２とを備えており、操作部制御部１４２は制御ＣＰＵ１１３にシリアル通信可能に接続されている。
操作部１４０では、制御ＣＰＵ１１３の制御を受けて、ＬＣＤ１４１によって、装置本体１０における出力条件設定や動作制御条件などの機械設定入力、各給紙トレイの用紙情報（サイズ、紙種）の設定入力、後処理設定、トンボプロファイルや断裁プロファイルの設定、メッセージなどの所望の情報等の表示などが可能になっている。
【００４９】
前記ＤＲＡＭ制御ＩＣ１１１には、画像データを圧縮または伸長することができる圧縮・伸長ＩＣ１２５が接続されている。ＤＲＡＭ制御ＩＣ１１１は、制御ＣＰＵ１１３からの指示に従って、圧縮・伸長ＩＣ１２５による画像データの圧縮処理及び圧縮画像データの伸長処理を制御するとともに、画像メモリ（ＤＲＡＭ）１２０への画像データの入出力制御を行う。
書き込み処理部１２６は、プリンタ部１５０のＬＤ１５１ａなどを備える画像形成部１１に接続され、画像データに基づいてＬＤ１５１Ａの動作に用いられる書き込みデータを生成する。
【００５０】
プリンタ部１５０は、プリンタ部１５０の全体（給紙、画像形成、排紙、後処理、断裁など）を制御するプリンタ制御部１５２を備えており、プリンタ制御部１５２は前記制御ＣＰＵ１１３にシリアル通信可能に接続されている。プリンタ制御部１５２は制御ＣＰＵ１１３の制御指令に従って動作して、プリンタ部１５０を制御し、用紙搬送、画像形成などを行う。また、プリンタ制御部１５２は、圧縮・伸長ＩＣ１２５に圧縮画像データの伸長を指示することができる。
【００５１】
また、プリンタ制御部１５２には、後処理装置３０におけるＦＮＳ制御部３００に制御可能に接続されている。プリンタ制御部１５２は、制御ＣＰＵ１１３の指令に基づいてＦＮＳ制御部３００に後処理指示を行うことができ、また、ＦＮＳ制御部３００から後処理装置３０における状態情報を取得することができる。ＦＮＳ制御部３００は、後処理装置３０全体の制御を行うことができ、搬送経路の切り替えや後処理部３４における後処理の制御を行う。ＦＮＳ制御部３００は、ＣＰＵやこれを動作させるプログラムなどによって構成することができる。
【００５２】
また、ＤＲＡＭ制御ＩＣ１１１が接続されたＰＣＩバス１１２には、画像処理部（プリント＆スキャナコントローラ）１６０のＤＲＡＭ制御ＩＣ１６１が接続されている。画像処理部（プリント＆スキャナコントローラ）１６０は、装置本体１０をネットワークプリンタやネットワークスキャナとして使用する場合に、ネットワーク３に接続される外部機器４などから画像データ等を装置本体１０で受信したり、スキャナ部１３０で取得した画像データをネットワーク３に接続される外部機器４などに送信したりするものである。
【００５３】
画像処理部（プリント＆スキャナコントローラ）１６０では、ＤＲＡＭ制御ＩＣ１６１に、ＤＲＡＭなどで構成される画像メモリ１６２が接続されている。また、画像処理部（プリント＆スキャナコントローラ）１６０では、共通バスにＤＲＡＭ制御ＩＣ１６１と、画像処理部（プリント＆スキャナコントローラ）１６０全体の制御を行うコントローラ制御ＣＰＵ１６３、ＬＡＮインターフェース１６５が接続されている。ＬＡＮインターフェース１６５は、ネットワーク３に接続されている。ＬＡＮインターフェース１６５は、この実施形態では、通信部に相当する。
【００５４】
また、制御ＣＰＵ１１３には、ＩＯ１２８が接続されており、画像形成装置内外の各種センサーなどの信号が取得可能になっており、例えば画像読取部２４、２５に対する制御信号の送信や、画像読取部２４、２５からの画像読取り結果の取得を行うことができる。
【００５５】
次に、上記画像形成装置の基本的動作について説明する。
まず、画像形成装置において画像データを蓄積する手順について説明する。
第１に画像形成装置において、スキャナ部１３０で画像を読み取り画像データを生成する場合について説明する。スキャナ部１３０において原稿からＣＣＤ１３１により画像を光学的に読み取る。この際には、画像制御ＣＰＵ１１１から指令を受けるスキャナ部制御部１３２によってＣＣＤ１３１の動作制御を行う。原稿の読み取りは、流し込みｔｙｐｅ自動原稿給送装置（ＡＤＦ）１４によって原稿を給送しつつ行ってもよく、また、プラテンガラス上に原稿を置いて行ってもよい。
【００５６】
制御ＣＰＵ１１３はプログラムによって動作し、操作部１４０による操作に基づいてスキャナ部１３０への指令を発行する。ＣＣＤ１３１で読み取られた画像は、読み取り処理部１１７でデータ処理がなされ、データ処理された画像データは、ＤＲＡＭ制御ＩＣ１１１を介して圧縮・伸長ＩＣ１２５に送られて所定の方法によって圧縮される。圧縮されたデータは、ＤＲＡＭ制御ＩＣ１１１を介して圧縮メモリ１２１に格納される。また、ＨＤＤ１２３に格納する場合は、圧縮メモリ１２１に一旦格納したデータを、ＤＲＡＭ制御ＩＣ１１１を介してＨＤＤ１２３に送る。
【００５７】
この他に画像データは、ネットワーク３を介して画像形成装置に入力される。上記画像データとしては、例えば外部機器４などのアプリケーションプログラム等により生成されたものや他の画像形成装置により生成されたものが挙げられる。該データは、ネットワーク３、ＬＡＮインターフェース１６５を介して画像処理部（プリント＆スキャナコントローラ）１６０で受信され、ＤＲＡＭ制御ＩＣ１６１によって画像メモリ１６２に一旦格納される。上記画像メモリ１６２に格納されたデータは、ＰＣＩバス１１２を介してＤＲＡＭ制御ＩＣ１１１に転送され、伸長メモリ１２２に一旦格納される。伸長メモリ１２２に格納されたデータは、ＤＲＡＭ制御ＩＣ１１１を介して圧縮・伸長ＩＣ１２５に送られて圧縮処理され、ＤＲＡＭ制御ＩＣ１１１を介して圧縮メモリ１２１に格納される。ＨＤＤ１２３に格納する場合は、圧縮メモリ１２１に一旦格納したデータを、ＤＲＡＭ制御ＩＣ１１１を介してＨＤＤ１２３に送る。
【００５８】
次に、画像形成装置で画像出力を行う場合、ＨＤＤ１２３に格納されたデータは、ＤＲＡＭ制御ＩＣ１１１を介して圧縮メモリ１２１に一旦格納する。圧縮メモリ１２１に格納されているデータは、ＤＲＡＭ制御ＩＣ１１１を介して圧縮・伸張ＩＣ１２５に送出してデータを伸張する。伸張したデータはＤＲＡＭ制御ＩＣ１１１を介して書き込み処理部１２６に送出して書き込みデータを生成し、ＬＤ部１５１ａにおいて感光体１５１ｂへの書き込みを行う。
【００５９】
プリンタ部１５０では、画像制御ＣＰＵ１１１の指令を受けたプリンタ制御部１５２によって本体給紙部１２、給紙部４０、搬送経路１３などの各部の制御が行われる。プリンタ部１５０において、画像形成、用紙への転写、定着、搬送路による後処理装置３０への搬送、後処理装置３０での後処理などが順次行われて印刷出力が行われる。図１では、用紙Ｐ０〜Ｐ３が順次搬送されて、画像形成部１１での印刷および搬送が行われていることが示されている。
【００６０】
また、外部機器４は、管理装置として画像形成装置または画像形成システムを制御することができ、管理装置において、トンボプロファイルや断裁プロファイルを適用して、画像形成を行うことができる。この場合、外部制御部は、本発明の制御部として機能し、外部制御部で動作するプログラムは、本発明の画像形成プログラムとして機能する。
【００６１】
さらに、装置本体１０では、検査装置２０の画像読取部２４または／および画像読取部２５で読み取った画像読取り結果を、ＩＯ１２８を通して制御ＣＰＵ１１３で取得することができ、画像読取り結果から、正解画像の比較によって、出力のヤレ判定などを行うことができる。
【００６２】
トンボは、画像形成装置の画像処理部（プリント＆スキャナコントローラ）１６０においては、外部から送信される画像を印刷用の画像に変換する際に、画像データにトンボの画像データを合成する画像合成処理を行うことができ、また、画像形成部１１で画像を形成する際に、トンボ用の画像を印刷するようにしてもよい。また、予めトンボが印刷された用紙を用いるようにしてもよい。
【００６３】
ジョブの画像に基準画像としてトンボを印刷する例を図３に基づいて説明する。
用紙Ｐには、画像を形成する原稿領域５０が設定され、原稿印字開始位置（横方向・縦方向）が設定される。原稿領域５０内にイメージ画像５１が形成される。
これらの設定は制御部によって行われる。
トンボのプロファイルとしては、用紙Ｐのサイズ、原稿印字開始位置、断裁代（横方向・縦方向）などを含んでいる。
【００６４】
次に、トンボの例を図４に示す。
タイプ１のコーナートンボは、原稿領域に対し、外側に位置して縦横の線が直交した指示線Ｃ１と、その内側にあって、指示線Ｃ１に平行で、交点付近で線を除いた指示線Ｃ２とを有している。
タイプ２のコーナートンボは、縦の線が外側にあり、横の線が内側にある指示線Ｃ３と、縦の線が内側にあり、横の線が外側にある指示線Ｃ４とを有し、指示線Ｃ３の縦線と指示線Ｃ４の横線とが交差している。
タイプ３のコーナートンボは、一つの縦線と一つの横線からなり、縦線と横線の直交部付近で線を除いた指示線Ｃ５を有している。
【００６５】
次に、トンボの設定でエラーとなる場合について図５に基づいて説明する。
用紙Ｐでは、原稿領域が定められ、これに応じて、原稿領域＋トンボ領域と、原稿領域＋断裁代が定められる。仮に、原稿領域＋断裁代の領域が用紙に収まらなければ、断裁代が確保できないのでエラーとする。用紙のサイズが小さく、断裁代まで画像形成できない場合は正確に断裁するためのトンボを画像形成できない。
また、別の例では、図６に示すように、原稿領域＋トンボの領域が用紙に収まらない場合でも、断裁代が収まれば、断裁代を確保することができるのでエラーとしない。この場合、トンボは一部画像が形成されないことになる。
サイズが小さく、トンボの一部が用紙からはみ出る場合でも、断裁代まで画像形成できれば、トンボに沿って裁断は可能である。
判定は用紙の隅部で行うことができ、通常は４隅で判定される。
【００６６】
図７は、トンボプロファイルと、断裁プロファイルの相互の関連を保持する例を示している。トンボプロファイルと、断裁プロファイルとのいずれか一方を生成すると、一方のプロファイルをもとに他方のプロファイルを生成することができる。
インラインの断裁装置を使用して断裁する場合は、トンボプロファイルを使用してトンボを画像形成し、オフラインの断裁装置を使用して断裁する場合は、画像形成装置はトンボプロファイルを使用してトンボを付加する。このとき、断裁プロファイルとトンボファイルは相互関連を持つ。
ジョブ実行中にユーザー操作あるいは断裁装置の故障の検知で、適用している断裁プロファイルと相互関連を持つトンボプロファイルを適用し、かつ断裁動作からトンボ付加に切り替えることができる。このときユーザーへの確認を行うのが望ましい。確認は、操作部に表示を行って、切り替えの操作を促すようにして行うことができる。
【００６７】
図８のトンボプロファイルの設定例を示すものであり、トンボプロファイル１〜３が設定されている。設定内容として、トンボ共通、折りトンボ、コーナートンボ、センタートンボの内容が示されている。
トンボ共通では、縦方向、横方向における原稿印字開始位置、断裁代、仕上がり寸法および面付数が設定されている。
折りトンボでは、いくつめかの印字毎に、印字の有無、縦方向の印字位置の設定が可能になっている。
コーナートンボでは、印字の有無、形状種別、トンボ線色、トンボ線長、トンボ線幅の設定が可能になっている。
センタートンボでは、印字の有無、形状種別、トンボ線色、縦方向および横方向のトンボ線長、トンボ線幅、断裁代からの位置の設定が可能になっている。
設定内容のうち、面が一つの裁断を前提にすると、コーナートンボのために最低限の設定値として、仕上がり寸法（横方向および縦方向）、原稿印字開始位置（横方向および縦方向）が挙げられる。
追加的な設定としては、コーナートンボに関わる、形状種別と、トンボ線色と、トンボ線長と、トンボ線幅と、面付数（横方向、および縦方向）と、断裁代（横方向、および縦方向）とが挙げられる。
また、画像形成する記録媒体のサイズと、前記仕上がり寸法（横方向、および縦方向）と、前記原稿開始位置（横方向、および縦方向）と、前記断裁代（横方向、および縦方向）とから、面付数（記録媒体長方向、および記録媒体幅方向）を算出することを可能にする。例えば、使用する用紙のサイズに合わせて名刺の面付数を算出する。
【００６８】
図９は、トンボプロファイルをもとに断裁プロファイルを生成する例を説明する図である。
生成元であるトンボプロファイルは、図８で説明したプロファイルと同様の設定項目を有している。このトンボプロファイルから生成される断裁プロファイルは、設定項目として、縦方向および横方向の原稿印字開始位置、ドブ断ち幅、歯牙離寸法および面付数があり、さらにクリース毎の有無および縦方向位置が設定可能になっている。
これらは相互関連付けをして記憶部に格納することができる。
図９では、原稿の印刷位置が同じになるように、断裁プロファイルのドブ断ち幅については、トンボプロファイルの断裁代とトンボ線長の和としているが、用紙の無駄を少なくするために、ドブ断ち幅を小さくしてもかまわない。
【００６９】
図１０は、断裁プロファイルをもとにトンボプロファイルを生成する例を説明する図である。
生成元である断裁プロファイルおよび生成先であるトンボプロファイルは、図９で説明した設定項目を有している。これらは相互関連付けをして記憶部に格納することができる。
図１０では、断裁代としてデフォルト値（３ｍｍ）としているが、生成時、あるいは事前の設定でユーザー変更可能であっても構わない。ユーザーによる変更は操作部などを介して行うことができる。
また、断裁プロファイルには、センタートンボに相当する情報が無いため、断裁プロファイルからトンボプロファイルを生成するに際して印字しない設定にしているが、必要に応じて、生成時、あるいは事前にユーザーが設定可能であっても構わない。設定は操作部などにより行うことができる。
【００７０】
次に、ジョブ設定時のトンボプロファイル適用の手順について、図１１に示すフローチャートに基づいて説明する。なお、以下の手順は、制御部の制御によって実行される。
【００７１】
［１］画像形成装置は、ユーザーのジョブ設定を受け付ける（ステップｓ１０１）
［２］画像形成装置は、ユーザーのジョブ設定が完了したかどうか（ユーザーが完了操作をしたかどうか）を判断する（ステップｓ１０２）。ユーザーのジョブ設定が完了していなければ（ステップｓ１０２、Ｎｏ）、再度、ユーザーのジョブ設定を受け付ける（⇒ステップｓ１０１）
【００７２】
［３］ユーザーのジョブ設定が完了していれば（ステップｓ１０２、Ｙｅｓ）、画像形成装置は、ユーザーが設定したジョブ設定にトンボプロファイルの適用があるかを確認する（Ｓ１０３）。
トンボプロファイルの適用がなければ（ステップｓ１０３、Ｎｏ）、トンボプロファイルに関係しないその他のエラーのチェックを行う（ステップｓ１０８）。なお、トンボプロファイルに関係しないその他のエラーとしては、例えば使用する後処理装置が選択した用紙サイズに対応していない等があり、その種別は問わない。
【００７３】
［４］  画像形成装置は、ジョブ設定にトンボプロファイルが適用されていれば（ステップｓ１０３、Ｙｅｓ）、用紙サイズと、トンボプロファイルとから、トンボがすべて用紙上に画像形成可能かを判定する（ステップｓ１０４）。トンボがすべて用紙上に画像形成可能であれば（ステップｓ１０４、Ｙｅｓ）、トンボプロファイルに関係しないその他のエラーのチェックを行う（ステップｓ１０８）。
【００７４】
［５］  画像形成装置は、トンボがすべて用紙上に画像形成可能でなければ（ステップｓ１０４、Ｎｏ）、用紙サイズと、トンボプロファイルとから、トンボの断裁代を示す部分までの画像形成が可能かどうかを判定する（ステップｓ１０５）。断裁代を示す部分まで画像形成が可能であれば（ステップｓ１０５、Ｙｅｓ）、画像形成装置は、トンボの一部が画像形成されない旨の表示を行い（ステップｓ１０６）、トンボプロファイルに関係しないその他のエラーのチェックを行う（ステップｓ１０８）。
【００７５】
［６］  画像形成装置は、断裁代を示す部分まで画像形成が不可能であれば（ステップｓ１０５、Ｎｏ）、トンボを画像形成できない旨のエラーを記憶し（ステップｓ１０７）、トンボプロファイルに関係しないその他のエラーを確認する（ステップｓ１０８）。
【００７６】
［７］  ステップｓ１０８の後に、画像形成装置は、１つ以上のエラーが発生しているかを確認し（ステップｓ１０９）、１つ以上のエラーが発生していれば（ステップｓ１０９）、エラーの表示を行い（ステップｓ１１０）、ユーザーのジョブ設定の受け付けを繰り返す（ステップｓ１０１）。エラーの発生がなければ（ステップｓ１０９、Ｎｏ）、ジョブの設定を完了する。
【００７７】
次に、ジョブ実行中の断裁⇒トンボ画像形成への切り替えを行う手順を図１２のフローチャートに基づいて説明する。以下の手順は、制御部の制御によって実行される。
【００７８】
［１］  インラインで断裁装置と検査装置が接続された画像形成装置は、投入されたジョブについて、１ページのラスタライズを行う（ステップｓ２０１）
［２］画像形成装置は、ラスタライズした画像データを検査装置に送信する（ステップｓ２０２）
【００７９】
［３］画像形成装置は、ラスタライズした画像データをもとに画像形成を実施し、画像形成済の用紙を検査装置に搬送する（ステップｓ２０３）
［４］検査装置は、搬送された画像形成済の用紙をスキャンした画像と、画像形成装置より受け取った画像データ（正解画像）とを比較し、搬送された画像形成済の用紙に汚れや画像形成不良がないかを検査し（ステップｓ２０４）、検査結果を判定する（ステップｓ２０５）。検査装置での検査結果に問題なければ（ステップｓ２０５、Ｙｅｓ）、検査装置は、断裁装置に用紙を搬送し、断裁を実施する（ステップｓ２０６）。
ジョブ実行中に、断裁動作（画像形成しない）からトンボ（コーナートンボ、折りトンボ）の画像形成に切り替えるとともに、ヤレ検の正解画像を更新している。）
【００８０】
［５］検査装置での検査結果に問題があれば（ステップｓ２０５、Ｎｏ）、画像形成済の用紙を搬送に従って排紙（正常に画像形成された場合とは別の排紙箇所に排紙する）し、再度画像形成を実施する（⇒ステップｓ２０３）。このとき、再度の画像形成を実施せず、ジョブの中断としてもよく、その後の対処は問わない。
【００８１】
［６］画像形成装置は、断裁実施（ステップｓ２０６）後、断裁装置での断裁時に故障および／またはエラー（機器の故障を要因としない異常動作）の検出を判定し（ステップｓ２０７）、断裁時にエラー、および故障が発生しなかった場合は、画像形成装置はジョブの完了を確認し（ステップｓ２０８）、ジョブに含まれるすべてのページの処理が完了したと判断すれば（ステップｓ２０８、Ｙｅｓ）、ジョブを終了する。また、ジョブが完了していなければ（ステップｓ２０８、Ｎｏ）、次のページのラスタライズを実施する（⇒（ステップｓ２０１）。
【００８２】
［７］画像形成装置は、断裁装置での断裁時にエラーのみ検出され、故障が検出されなかった場合は、搬送に従って排紙（正常に画像形成された場合とは別の排紙箇所に排紙する）し、再度画像形成を実施する（⇒ステップｓ２０３）。このとき、再度の画像形成を実施せず、ジョブの中断としてもよく、その後の対処は問わない。
【００８３】
［８］断裁時に断裁装置の故障が検出されていれば、断裁装置が故障した旨のエラー表示を行い（ステップｓ２０９）、給紙・画像形成を停止し、搬送に従って排紙（正常に画像形成された場合とは別の排紙箇所に排紙する）し（ステップｓ２１０）、排紙完了後、断裁からトンボを付加しての画像形成に切り替え可能かを判定する（ステップｓ２１１）。トンボを付加しての画像形成が不可であれば（ステップｓ２１１、Ｎｏ）、ジョブを終了（エラー終了）する。
【００８４】
［９］トンボを付加しての画像形成が可能であれば（ステップｓ２１１、Ｙｅｓ）、画像形成装置は、断裁トンボを付加しての画像形成に切り替えてジョブを続行するかをユーザーに確認する（ステップｓ２１２）。
【００８５】
［１０］画像形成装置は、ユーザーが、トンボを付加しての画像形成に切り替える選択したかを確認する（ステップｓ２１３）。トンボを付加しての画像形成に切り替えることを選択しなかった場合は（ステップｓ２１３、Ｎｏ）、ジョブを終了（エラー終了）する。
［１１］ユーザーが、トンボを付加しての画像形成に切り替えてジョブを続行する旨を選択した場合（ステップｓ２１３、Ｙｅｓ）、画像形成装置は、トンボを付加しての画像形成を行うモードに変更（ステップｓ２１４）し、また、検査装置にトンボの付加を通知し（ステップｓ２１５）、ジョブを続行する（ステップｓ２０３へ）。検査装置に対しては、トンボが付加される旨を通知してもよいし、トンボが付加された正解画像が通知されてもよいし、その方式は問わない。
【００８６】
以上、本発明について、上記実施形態に基づいて説明を行ったが、本発明の技術的範囲が上記説明の内容に限定されるものではなく、本発明の範囲を逸脱しない限りは、上記実施形態に対する適宜の変更が可能である。
【符号の説明】
【００８７】
１  画像形成システム
３  ネットワーク
４  外部機器
１０  装置本体
１１  画像形成部
２０  検査装置
３０  後処理装置
５０  原稿領域
１００  制御部
１１５  不揮発メモリ
１４０  操作部
【図１】
2020184715.tif 000003
【図２】
2020184715.tif 000004
【図３】
2020184715.tif 000005
【図４】
2020184715.tif 000006
【図５】
2020184715.tif 000007
【図６】
2020184715.tif 000008
【図７】
2020184715.tif 000009
【図８】
2020184715.tif 000010
【図９】
2020184715.tif 000011
【図１０】
2020184715.tif 000012
【図１１】
2020184715.tif 000013
【図１２】
2020184715.tif 000014